(57)【要約】【課題】  手摺とブレスと養生網とを兼ね、隙間を発生させず、特に、枠組足場を縦横に連結する際の先行手摺としての利用に適する金網パネルを提供する。【解決手段】  上パネル１および下パネル２と、上パネル１と下パネル２とを折り畳み自在に結合する中間のヒンジ３とを有し、上パネル１および下パネル２が横枠８と縦枠９とからなる矩形の枠体と、この枠体内に展設した金網４と、同じくこの枠体内に架設したブレス５とを有し、上パネル１または下パネル２のどちらか一方の左右両側に引掛け具６を設けると共に、ヒンジ３を介して上パネル１を回転しながら起立させて下パネル２と同一平面上に展開したときに上パネル１と下パネル２の枠体同士を結合する保持部材７をそれぞれ上パネル１の縦枠９と下パネル２の縦枠９との間に設けてなる。【選択図】  図１
2008038588.tif 000002
【特許請求の範囲】
【請求項１】
上パネル１および下パネル２と、上パネル１と下パネル２とを折り畳み自在に結合する中間のヒンジ３とを有し、上パネル１および下パネル２が横枠８，１０と縦枠９とからなる矩形の枠体と、この枠体内に展設した金網４と、同じくこの枠体内に架設したブレス５とを有し、上パネル１または下パネル２のどちらか一方の左右両側に引掛け部材６を設けると共に、ヒンジ３を介して上パネル１を回転しながら起立して下パネル２と同一平面上に展開したときに上パネル１と下パネル２の枠体同士を結合する保持部材７をそれぞれ上パネル１の縦枠９と下パネル２の縦枠９との間に設けてなることを特徴とする金網パネル。
【請求項２】
上パネル１および下パネル２と、上パネル１と下パネル２とを折り畳み自在に結合する中間のヒンジ３とを有し、上パネル１および下パネル２が横枠８，１０と縦枠９とからなる矩形の枠体と、この枠体内に展設した金網４と、同じくこの枠体内に架設したブレス５とを有し、上パネル１または下パネル２のどちらか一方の左右両側に引掛け部材６を設ける一方で、ヒンジ３を介して上パネル１を回転しながら起立させて下パネル２と同一平面上に展開したときに上パネル１と下パネル２の枠体同士を結合する保持部材７をそれぞれ上パネル１の縦枠９と下パネル２の縦枠９との間に設けると共に、引掛け部材６における枠組足場Ｔの横材Ｂに対する引掛け位置がずれることを阻止する位置ずれ阻止部材２４を下パネル２の縦枠９あるいは上パネル１の縦枠９に設けてなることを特徴とする金網パネル。
【請求項３】
保持部材７が下パネル２の縦枠９の上部前側に張出すブラケット１３と、このブラケット１３に回転自在に軸支したストップ片１４と、上パネル１の縦枠９の下部に連設した断面Ｕ字状の抱持筒１２と、この抱持筒１２の側部に前側に向けて取付けた受板１５と、この受板１５の上部に下方に向けて形成した係止溝１６とを有し、上パネル１を上方に起立させて抱持筒１２を下パネル２の縦枠１２の外周に嵌合した状態でストップ片１４を係止溝１６に嵌め込んでなる請求項１または請求項２に記載の金網パネル。
【請求項４】
保持部材７が下パネル２の上部に連設した断面Ｕ字状の抱持筒１２Ａと、この抱持筒１２Ａの上部前側に張出すブラケット１３、このブラケット１３に回転自在に軸支したストップ片１４と、上パネル１の縦枠９の上側側部に前側に向けて取付けた受板１５Ａと、この受板１５Ａの上部に上方に向けて形成した係止溝１６Ａとを有し、上パネル１を上方に起立させて抱持筒１２Ａに上パネル１の縦枠９の外周を嵌合させた状態でストップ片１４を係止溝１６Ａに嵌め込んでなる請求項１または請求項２に記載の金網パネル。
【請求項５】
位置ずれ阻止部材２４が下パネル２の縦枠９あるいは上パネル１の縦枠９に連結される基部２５と、この基部２５に保持されて平面形状をＵ字状あるいは環状にする連結部２６とを有してなる請求項２に記載の金網パネル。
【請求項６】
ヒンジ３を前側に設け、このヒンジ３を介して上パネル１を下パネル２の前側に回転して折り畳む請求項１、請求項２または請求項３に記載の金網パネル。
【請求項７】
ヒンジ３Ａを背後に設け、このヒンジ３Ａを介して上パネル１を下パネル２の背後側に折り畳む請求項１、請求項２または請求項３に記載の金網パネル。
【請求項８】
下パネル２が縦枠９に挿し込まれる一対のグラビテッィロックピン１７，１８を設けた抱持ブラケット１９を介して枠組足場Ｔの建材Ａに連結されてなる請求項１、請求項２、請求項３、請求項４、請求項５、請求項６または請求項７に記載の金網パネル。
【請求項９】
上パネル１と、下パネル２と、両者を折り畳み自在に結合する中間のヒンジ３とを有してなる金網パネルＰを折り畳んだ状態で地上又は下段側の足場板上で上段側の足場板の片側に移送する行程と、上記下パネル２を上記上側足場板の片側に固定する行程と、上記上パネル１を上記ヒンジ３を介して回転させながら起立させて下パネル２と同一平面状に設定する行程と、上記上パネル１を起立させた状態で当該上パネル１を固定する行程とからなる手摺の取付け方法。
【発明の詳細な説明】
【技術分野】
【０００１】
この発明は、枠組足場やその他の足場の建材に着脱自在に取付けられる金網パネルおよびこれを利用した手摺の取付け方法に関し、特に、手摺とブレスと養生網とを兼ねた金網パネルに関する。
【背景技術】
【０００２】
一般に、建築工事や土木工事の作業現場では、いわゆる足場が設けられて作業者がこの足場上を歩行し、また、足場上で諸作業を行うとしているが、この足場を形成する、たとえば、枠組足場は、横方に列設した建枠と、建枠間に架設した足場板と、足場板の片側又は両側に起立される手摺と、建枠間に架設した補強用のブレスとからなるとしている。
【０００３】
そして、上記の枠組足場を縦横に組付ける、すなわち、連続させる場合には、たとえば、特許文献１に開示されているように、あらかじめ下段の足場上で手摺を先行して設置し、この先行されて設置された手摺、すなわち、先行手摺を利用して安全を図りながら枠組足場を連続させるとしている。
【０００４】
すなわち、枠組足場を縦横に組付ける、特に、上方に連続させる場合には、常に先行して手摺を設置し、また、必要となれば、いわゆる盛替えてでも手摺を先行させるとしている。
【特許文献１】特開２００５‐２０７２２５号公報（図面、要約参照）
【発明の開示】
【発明が解決しようとする課題】
【０００５】
上記従来の手摺や、特許文献１に開示されている手摺は、左右一対の縦支柱と各縦支柱間に架設した一つ又は複数の横支柱からなるものであるから、全体的に看るといわゆる線材で形成されていることになり、どうしても足場板の上面と横支柱との間、上下の横支柱間に隙間が発生し、この隙間から建築資材や工具のみならず作業者が滑って下方に墜落することになる不具合がある。
【０００６】
そこで、横支柱にＸ字状のブレスを架設し、また、手摺と組み合わせる場合もあるが、Ｘ字状のブレスには下方に大きな隙間があり、やはりこの隙間から部材や作業者が抜け出てしまう恐れがあり、しかもこの場合は、手摺とブレスとの二つの部材を別々に成形し、別々に組付けるのでコスト的に不利であり、組み付けと撤去の作業性に劣ることになる。
【０００７】
さらに、工具類の落下を防いだり作業者の安全を図ったりするために別に養生網を設置しても良いが、この場合にはさらに部品点数が多くなり、経済性、加工性、組付性で不利となる。
【０００８】
そこで、この発明の目的は、手摺とブレスと養生網とを兼ねさせて隙間を発生させず、特に、枠組足場を縦横に連続させる際の先行手摺としての利用に最適となる金網パネルを提供することであり、また、この金網パネルを利用した手摺の取付け方法を提供することである。
【課題を解決するための手段】
【０００９】
上記した目的を達成するために、この発明による金網パネルの構成を、第一には、上パネルと下パネルと、上パネルと下パネルとを折り畳み自在に結合する中間のヒンジとからなり、各上パネルと下パネルとは横枠と縦枠とからなる矩形の枠体と、枠体内に展設した金網と、同じく枠体内に架設したブレスとからなり、さらに、上パネル又は下パネルのどちらか一方の左右両側に引掛け部材を設け、また、上パネルをヒンジを介して回転しながら起立させて下パネルと同一平面上に展開したとき上パネルと下パネルの枠体同士を結合する保持部材をそれぞれ上パネルの縦枠と下パネルの縦枠との間に設けてなるとする。
【００１０】
そして、この発明による金網パネルの構成を、第二には、上パネルおよび下パネルと、上パネルと下パネルとを折り畳み自在に結合する中間のヒンジとを有し、上パネルおよび下パネルが横枠と縦枠とからなる矩形の枠体と、この枠体内に展設した金網と、同じこの枠体内に架設したブレスとを有し、上パネルまたは下パネルのどちらか一方の左右両側に引掛け部材を設ける一方で、ヒンジを介して上パネルを回転しながら起立させて下パネルと同一平面上に展開したときに上パネルと下パネルの枠体同士を結合する保持部材をそれぞれ上パネルの縦枠と下パネルの縦枠との間に設けると共に、引掛け部材における枠組足場の横材に対する引掛け位置がずれることを阻止する位置ずれ阻止部材を下パネルの縦枠あるいは上パネルの縦枠に設けてなるとする。
【００１１】
この場合、保持部材が下パネルの縦枠の上部前側に張出すブラケットと、このブラケットに回転自在に軸支したストップ片と、上パネルの縦枠の下部に連設した断面Ｕ字状の抱持筒と、この抱持筒の側部に前側に向けて取付けた受板と、この受板の上部に下方に向けて形成した係止溝とからなり、上パネルを上方に起立させて抱持筒を下パネルの縦枠の外周に嵌合した状態でストップ片を係止溝に嵌め込むのが好ましい。
【００１２】
同じく、保持部材が下パネルの上部に連設した断面Ｕ字状の抱持筒と、この抱持筒の上部前側に張出すブラケット、このブラケットに回転自在に軸支したストップ片と、上パネルの縦枠の上側側部に前側に向けて取付けた受板と、この受板の上部に上方に向けて形成した係止溝とからなり、上パネルを上方に起立させて抱持筒に上パネルの縦枠の外周を嵌合させた状態でストップ片を係止溝に嵌め込むようにしても良い。
【００１３】
同じく、位置ずれ阻止部材が下パネルの縦枠あるいは上パネルの縦枠に連結される基部と、この基部に保持されて平面形状をＵ字状あるいは環状にする連結部とを有してなるとするのが良い。
【００１４】
同じく、ヒンジを前側に設け、このヒンジを介して上パネルを下パネルの前側に回転して折り畳むようにしても良く、又はヒンジを背後に設け、このヒンジを介して上パネルを下パネルの背後側に折り畳むようにしても良い。
【００１５】
枠組足場に使用に際し、枠組足場の建材に左右一対のグラビテッィロックピンを設けた抱持ブラケットを取付け、下パネルの縦枠の下端を上記グラビティロックピンに係合させ、引掛け部材を上記枠組足場の横材に係合させて枠組足場の足場板の前側に取付けるのが好ましい。
【００１６】
さらに、金網パネルを手摺として利用する場合、その取付け方法の手段は、上パネルと、下パネルと、両者を折り畳み自在に結合する中間のヒンジとからなる金網パネルを折り畳んだ状態で地上又は下段側の足場板上で上段側の足場板の片側に移送する行程と、上記下パネルを上記上側足場板の片側に固定する行程と、上記上パネルを上記ヒンジを介して回転させながら起立させて下パネルと同一平面状に設定する行程と、上記上パネルを起立させた状態で当該上パネルを固定する行程とからなるものである。
【発明の効果】
【００１７】
それゆえ、この発明の金網パネルによれば、まず、枠体内に金網を展設させているからこの金網パネルには隙間が無く、これを足場板の片側又は両側に手摺として設置したとき、少なくとも足場板の片側には隙間が発生せず、足場板側から建築資材、工具が落下するのを防止し、作業者が滑って地上に墜落するのを防止でき、作業の安全を図れ、人身事故の発生を防止できる。
【００１８】
つぎに、この発明の金網パネルによれば、手摺と、ブレスと、養生網とを兼ねているから、これらを別々に製作したり、別々に組付けたりまたは撤去したりする必要がないから、部品点数が少なく、加工性、組付性、経済性の向上が図れる。
【００１９】
そして、金網パネルは、枠組足場における据置手摺または先行手摺として使用でき、据置手摺として使用する場合には、この金網パネル自体が枠組足場の補強部材としても使用できる。
【００２０】
また、金網パネルは、下パネルあるいは上パネルの縦枠に連結されて引掛け部材の枠組足場における横材への引掛け位置がずれることを阻止する位置ずれ阻止部材を有することで、先行手摺が僅かではあるが位置ずれすることによる作業者の不安感を排除できることになる。
【００２１】
さらに、この発明の手摺の取付け方法によれば、金網パネルを折り畳んで言わば小型化した状態で移送できるので作業性が向上する。
【発明を実施するための最良の形態】
【００２２】
以下、図示したところに基づいてこの発明の実施形態について説明するが、この発明の金網パネルＰは、図１および図２に示すように、枠組足場Ｔの足場板の片側または両側に配置される手摺としての利用に適する。
【００２３】
この場合、金網パネルＰは、据置式の手摺としても使用でき、あるいは、枠組足場Ｔを縦横に組付ける場合に利用する先行手摺としても使用できる。
【００２４】
図１乃至図７は、この発明の金網パネルＰを枠組足場Ｔの足場板Ｃの片側に取付けた場合の実施の形態を示すが、この金網パネルＰは、上パネル１と、下パネル２と、上パネル１および下パネル２を折り畳み自在に結合する中間のヒンジ３とを有してなる。
【００２５】
上パネル１および下パネル２は、横枠８，１０と縦枠９とからなる矩形の枠体と、枠体内に展設した金網４と、同じく枠体内に架設したブレス５とを有してなり、さらに、下パネル２の左右両側に引掛け部材６を設け、また、上パネル１をヒンジ３を介して回転しながら起立して下パネル２と同一平面上に展開したときに、上パネル１と下パネル２の枠体同士を結合する保持部材７をそれぞれ上パネル１の縦枠９と下パネル２の縦枠９との間に設けている。
【００２６】
ちなみに、上パネル１および下パネル２のそれぞれの中央部には補強枠１１が立設されていて、この補強枠１１と上記の横枠８，１０および縦枠９で区画されるエリアに上記のブレス５が配設されるとしている。
【００２７】
なお、上記の引掛け部材６は、上パネル１の左右両側に、すなわち、上パネル１に設けられる後述する抱持筒１２に設けるとしても良い。
【００２８】
保持部材７は、図４に示すように、下パネル２の縦枠９の上部前側に張出すブラケット１３と、このブラケット１３に回転自在に軸支したストップ片１４と、上パネル１の縦枠９の下部に連設した断面Ｕ字状の抱持筒１２と、この抱持筒１２の側部に前側に向けて取付けた受板１５と、この受板１５の上部に下方に向けて形成した係止溝１６とからなり、上パネル１を上方に起立させて抱持筒１２を下パネル２の縦枠９の外周に嵌合した状態でストップ片１４を係止溝１６に嵌め込むようにしている。
【００２９】
この保持部材７は、上記の場合と逆に、すなわち、図１の場合は、保持部材７を構成する抱持筒１２を上パネル１の縦枠９の下部に設けているが、図１０の他の実施形態に示すように、下パネル２の上部に保持部材７を構成する抱持筒１２Ａを設けても良い。
【００３０】
すなわち、この図１０に示す保持部材７は、下パネル２の上部に連設した断面Ｕ字状の抱持筒１２Ａと、この抱持筒１２Ａの上部前側に張出すブラケット１３、このブラケット１３に回転自在に軸支したストップ片１４と、上パネル１の縦枠９の上側側部に前側に向けて取付けた受板１５Ａと、この受板１５Ａの上部に上方に向けて形成した係止溝１６Ａとからなり、上パネル１を上方に起立させて抱持筒１２Ａに上パネル１の縦枠９の外周を嵌合させた状態でストップ片１４を係止溝１６Ａに嵌め込むものである。
【００３１】
ヒンジ３は、図１および図１０の各実施形態では縦枠９の前側に設け、このヒンジ３を介して上パネル１を下パネル２の前側に回転して折り畳むようにしている。
【００３２】
ただし、ヒンジ３の位置は、図１および図１０のものに限らず、たとえば、図１１の他の実施形態に示すように縦枠９の背部に設けるとしても良く、この場合には、ヒンジ３Ａを縦枠９，９の背後に設け、このヒンジ３Ａを介して上パネル１を下パネル２の背後側に折り畳むようにすることになる。
【００３３】
つぎに、上記の金網パネルＰを枠組足場Ｔに取付ける場合について説明するが、枠組足場Ｔにおける建材Ａに左右一対のグラビテッィロックピン１７，１８（図６参照）を設けた抱持ブラケット１９を取付け、下パネル２の縦枠９の下端を上記グラビティロックピン１７，１８に係合させ、引掛け部材６たるフックを上記枠組足場Ｔにおける横材Ｂに係合させ、これにより、枠組足場Ｔにおける横材Ｂに架設した足場板Ｃの前側に金網パネルＰを取付けるものである。
【００３４】
引掛け部材６は、図５に示すように、縦枠９に基端を結合して張出した平面Ｌ字状のフックからなるとしているが、所定の引掛け機能を発揮し得る限りには、図示しないが、任意の構成のものが選択されて良いことはもちろんである。
【００３５】
上記抱持ブラケット１９は、図６に示すように、半円状の抱持片２３と、この抱持片２３の両側に取付けたややＬ字状の取付片２１，２２と、各取付片２１，２２の前側に突出させたグラビティロックロックピン１７，１８と、一方の取付片２２に挿入して上記抱持片２３に対向する楔２０とで構成されている。
【００３６】
これにより、楔２０を締付けてこの楔２０と抱持片２３とで建枠Ａを挟持してこの建枠Ａに抱持ブラケット１９を固定し、この状態で、グラビティロックピン１７，１８に隣同志の金網パネルＰの縦枠９，９をそれぞれ係止させるものである。
【００３７】
ちなみに、上記したところから明らかなように、この抱持ブラケット１９は、縦枠９，９に相当する部材を有する限りには、金網パネルＰに代えて、図示しないが、他のパネルにおける隣同志の連結に利用されるとしても良いことはもちろんである。
【００３８】
つぎに、この発明の金網パネルＰを手摺として使用する場合の取付け方法について説明すると、この手摺の取付け方法は、上パネル１と、下パネル２と、両者を折り畳み自在に結合する中間のヒンジ３とを有してなる金網パネルＰを折り畳んだ状態で地上又は下段側の足場板上で上段側の足場板の片側に移送する行程と、上記下パネル２を上記上側足場板の片側に固定する行程と、上記上パネル１を上記ヒンジ３を介して回転させながら起立させて下パネル２と同一平面状に設定する行程と、上記上パネル１を起立させた状態で当該上パネル１を固定する行程とからなるものである。
【００３９】
図７は、枠組足場Ｔに手摺として金網パネルＰを取付ける行程が示されており、  まず、図７（Ａ）および図７（Ｂ）に示すように、地上で建枠Ａ，Ａに金網パネルＰを折り畳んだ状態で結合する。
【００４０】
つぎに、図７（Ｃ）に示すように、上パネル２を起立させて下パネル１と同一平面上に設定し、保持部材７でこの状態を保持する。
【００４１】
つぎに、この金網パネルＰを据置手摺として残しておき、この据置手摺を利用しながら図７（Ｄ）および図７（Ｅ）に示すように、足場板Ｃ上で上段の建枠Ａや足場板Ｃを組付ける作業を行う。
【００４２】
さらに、上記と同じ手順で図７（Ｆ）および図７（Ｇ）に示すように、金網パネルＰを据置手摺として残しながらさらに上方に建枠Ａと足場板Ｃを組付けるようにしている。
【００４３】
図８は、この発明の他の使用例を示し、これはシステム足場の縦支柱Ａ１，Ａ１上に設置したものであり、足場、単管足場を利用したものでも良く、これらの足場に金網パネルＰを手摺として取付ける場合の取付け方法は、図７の実施の形態と同じである。
【００４４】
図１２乃至図１８は、この発明の他の実施形態を示すもので、特徴としては、前記した基本的な構成に加えて、引掛け部材６の枠組足場Ｔにおける横材Ｂへの引掛け位置がずれることを阻止する位置ずれ阻止部材２４を有してなることである。
【００４５】
そして、図示するところにあっては、保持部材７、すなわち、上パネル１と下パネル２の枠体同士を結合する保持部材７の新たな構成を併せて提案するものである。
【００４６】
そこで、以下に説明するが、その構成が前記したところと同一となるところについては、要する場合を除いて、図中に同一の符号を付するのみとしてその説明を省略する。
【００４７】
まず、図示す実施形態にあって、保持部材７は、図１３に示すように、抱持筒１２（図２参照）に連結された平面形状をほぼＵ字状にして内側に枠組足場Ｔにおける建材Ａを臨在させる保持ブラケット１５Ｂと、この保持ブラケット１５Ｂに抜き挿し可能に連結するピン１４Ａとを有してなり、このピン１４Ａが縦枠９に連設された支持片９Ａに保持されてなるとしている。
【００４８】
それゆえ、この保持部材７にあっては、同図（Ａ）中の仮装線図で示すいわゆる抜き出されているピン１４Ａを支持片９Ａと共に保持ブラケット１５Ｂに挿し込むようにするとき、縦枠９を建材Ａに連結することが可能になる。
【００４９】
つぎに、図１２に示す実施形態にあって、金網パネルＰを形成する横枠８、特に、図１２中で上方側に位置決められる横枠８は、左右の縦枠９，９の上端を連結する頭繋ぎとして機能するが、このとき、この横枠８は、図１４に示すように、内側に図示しない安全ベルトの連結を許容する金具のこの横枠８に沿ってのスライド移動を許容するように形成されてなるとしている。
【００５０】
ところで、図１５には、下パネル２の縦枠９に連結されて横材Ｂに引掛けられる引掛け部材６と、上パネル１に保持されている抱持筒１２を下パネル２の縦枠９に連結させる保持部材７と、下パネル２の縦枠９に連結されながら枠組足場Ｔの建材Ａに連結される位置ずれ阻止部材２４とが開示されている。
【００５１】
このとき、引掛け部材６については、前記した図５に示すように形成されてなるが、保持部材７は、図１６に示すように、抱持筒１２に連結される受板１５と、抱持筒１２の上部前側に張出すブラケット１３と、このブラケット１３に抜き挿し自在に挿し込まれるストップ片１４と、このストップ片１４の挿し込みを許容する受板１５に開穿された係止穴１６Ａと、からなり、上パネル１を上方に起立させて抱持筒１２に下パネル２の縦枠９の外周を嵌合させた状態でストップ片１４を係止穴１６Ａに挿し込むとするものである。
【００５２】
そして、位置ずれ阻止部材２４は、引掛け部材６における枠組足場Ｔの横材Ｂに対する引掛け位置がずれることを阻止するもので、図１７に示すように、下パネル２の縦枠９に連結される基部２５と、この基部２５に保持されて平面形状をＵ字状にする連結部２６とを有してなるとしている。
【００５３】
そして、図示する実施形態では、ほぼＬ字状に形成された連結部２６がこれに対峙する対峙部２６Ａを有して、この連結部２６の平面形状をＵ字状にするとしており、内側に枠組足場Ｔにおける建材Ａを臨在させるとしている。
【００５４】
したがって、この状態から基部２５に形成の係止溝２５Ａに連結部２６が嵌め込まれることで、この建材Ａに対して縦枠９が言わば一体的に連結されることになり、この縦枠９に連結されて枠組足場Ｔの横材Ｂに引掛けられている引掛け部材６の横材Ｂに対する引掛け位置のずれが阻止されることになる。
【００５５】
図１８は、位置ずれ阻止部材２４の他の実施形態を示し、この実施形態にあって、連結部２６は、平面形状を環状にして、内側に枠組足場Ｔの建材Ａを挿通させるとするものである。
【００５６】
ちなみに、図示するところでは、連結部２６には建材Ａを上方に連続させるときのジョイントＡ１を挿通させるとしているが、これに代えて、建材Ａを挿通させるとしても良いことはもちろんである。
【図面の簡単な説明】
【００５７】
【図１】この発明の一実施形態である組立足場に取り付けた金網パネルの正面図である。
【図２】図１の側面図である。
【図３】図１の平面図である。
【図４】保持部材を示し、（Ａ）は平面図、（Ｂ）は正面図、（Ｃ）は側面図である。
【図５】引掛け部材を示し、（Ａ）は平面図、（Ｂ）は正面図である。
【図６】抱持ブラケットを示し、（Ａ）は平面図、（Ｂ）は正面図、（Ｃ）は側面図である。
【図７】枠組足場と金網パネルの組立行程を示し、（Ａ）乃至（Ｄ）は正面図、（Ｅ）乃至（Ｇ）は側面図である。
【図８】システム足場に取付けた金網パネルの正面図である。
【図９】図１の金網パネルを折り畳んだ状態の側面図である。
【図１０】他の実施形態における金網パネルを折り畳んだ状態の側面図である。
【図１１】さらに他の実施形態における金網パネルを折り畳んだ状態の側面図である。
【図１２】この発明の他の実施形態による金網パネルを図１と同様に示す図である。
【図１３】保持部材を示し、（Ａ）は平面図、（Ｂ）は正面図、（Ｃ）は側面図である。
【図１４】縦枠に連結された横枠を示す部分図である。
【図１５】金網パネルの縦枠が建材に連結された状態を示す部分正面図である。
【図１６】他の実施形態の保持部材を示し、（Ａ）は平面図、（Ｂ）は正面図、（Ｃ）は側面図である。
【図１７】位置ずれ阻止部材を示し、（Ａ）は平面図、（Ｂ）は正面図、（Ｃ）は側面図である。
【図１８】他の実施形態の位置ずれ阻止部材を示し、（Ａ）は平面図、（Ｂ）は正面図である。
【符号の説明】
【００５８】
１  上パネル
２  下パネル
３  ヒンジ
４  金網
５  ブレス
６  引掛け部材
７  保持部材
８，１０  横枠
９  縦枠
１１  補強枠
１２  抱持筒
１３  抱持ブラケット
１４  ストップ片
１５  受板
１６  係止溝
２４  位置ずれ阻止部材
２５  基部
２６  連結部
Ａ  建材
Ｂ  横材
Ｔ  枠組足場
【図１】
2008038588.tif 000003
【図２】
2008038588.tif 000004
【図３】
2008038588.tif 000005
【図４】
2008038588.tif 000006
【図５】
2008038588.tif 000007
【図６】
2008038588.tif 000008
【図７】
2008038588.tif 000009
【図８】
2008038588.tif 000010
【図９】
2008038588.tif 000011
【図１０】
2008038588.tif 000012
【図１１】
2008038588.tif 000013
【図１２】
2008038588.tif 000014
【図１３】
2008038588.tif 000015
【図１４】
2008038588.tif 000016
【図１５】
2008038588.tif 000017
【図１６】
2008038588.tif 000018
【図１７】
2008038588.tif 000019
【図１８】
2008038588.tif 000020